(57)【要約】【課題】  希土類磁石を配設することで効率的な磁気治療を行うことができると共に、水洗い洗濯をしても希土類磁石が錆びてしまうことがない使い勝手が良好な磁気枕を提供すること。【解決手段】  本体２０と、本体２０を収容する本体収容体３０と、シート体４４に希土類磁石４２を担持させた磁石担持体４０とを有し、磁石担持体４０は、本体収容体３０の首部当接部分に形成された磁石担持体用ポケット３２に出し入れ可能に収容されていることを特徴とする磁気枕１０である。【選択図】図２
2017063810.tif 000002
【特許請求の範囲】
【請求項１】
本体と、前記本体を収容する本体収容体と、シート体に希土類磁石を担持させた磁石担持体とを有し、
前記磁石担持体は、前記本体収容体の首部当接部分に形成された磁石担持体用ポケットに出し入れ可能に収容されていることを特徴とする磁気枕。
【請求項２】
前記磁石担持体用ポケットは、２つ一組で配設されていると共に、一方の前記磁石担持体用ポケットの開口端辺と他方の前記磁石担持体用ポケットの開口端辺とが互いに向かい合った状態で形成されていることを特徴とする請求項１記載の磁気枕。
【請求項３】
前記磁石担持体用ポケットの開口端辺には、前記磁石担持体用ポケットからの前記磁石担持体の逸脱を防止するためのストッパが形成されていることを特徴とする請求項１または２記載の磁気枕。
【発明の詳細な説明】
【技術分野】
【０００１】
本発明は磁気枕に関する。
【背景技術】
【０００２】
疲労回復や健康促進を図るために身体に磁気を照射することは広く知られている。身体への磁気の照射時間は長ければ長いほどよいため、枕や布団等の寝具に磁石を配設することが効果的であるとされている。このような磁石を配設した寝具の一例としての磁気枕に関する構成が特許文献１等において提案されている。
【先行技術文献】
【特許文献】
【０００３】
【特許文献１】実用新案公報実公平７−４４２０７号公報
【発明の概要】
【発明が解決しようとする課題】
【０００４】
特許文献１に開示されている磁気枕の構成は、本体の上面に多数の波形突起が形成されていて、使用者の頭部や肩部分に相当する部位に永久磁石を定着させたものである。このような磁気枕によれば、就寝時間を磁気照射時間に充てることができるため長時間にわたって磁気を照射することが可能になり、疲労回復や健康促進を図ることができる点で好適である。
しかしながら特許文献１に記載されている磁気枕のように、枕の本体に磁石が直接取り付けられている構成の場合、枕を洗濯する際には本体と共に磁石も洗濯されることになる。磁気枕の性能を高めるためには強い磁力を有する希土類磁石を配設することが望ましいが、希土類磁石は水に濡れると錆が発生してしまうため、希土類磁石を用いた磁気治療効果を高めた磁気枕は実質的に洗濯することができないといった課題がある。
【０００５】
そこで本発明は、希土類磁石を配設することで効率的な磁気治療を行うことができると共に、枕を水洗い洗濯しても希土類磁石が錆びてしまうことがない磁気枕の提供を目的としている。
【課題を解決するための手段】
【０００６】
上記課題を解決するため発明者が鋭意研究した結果、以下の構成に想到した。
すなわち、本発明は、本体と、前記本体を収容する本体収容体と、シート体に希土類磁石を担持させた磁石担持体とを有し、前記磁石担持体は、前記本体収容体の首部当接部分に形成された磁石担持体用ポケットに出し入れ可能に収容されていることを特徴とする磁気枕である。
【０００７】
これにより、磁気枕を洗濯する際には、磁石担持体を磁気枕から取り外すことができるため、磁気枕を水洗い洗濯しても希土類磁石が錆びてしまうことがない。よって常に衛生的な状態で当初性能が維持されている磁気枕を継続的に使用することができる。
【０００８】
また、前記磁石担持体用ポケットは、２つ一組で配設されていると共に、一方の前記磁石担持体用ポケットの開口端辺と他方の前記磁石担持体用ポケットの開口端辺とが互いに向かい合った状態で形成されていることが好ましい。
【０００９】
これにより、磁石担持体用ポケットの開口端辺を閉じるためのファスナー等を配設しなくても、磁石担持体用ポケットに収容された磁石担持体が磁気枕から逸脱してしまうおそれがない。また、磁石担持体用ポケットには開口端辺があるため、磁石担持体用ポケットへの磁石担持体自体の出し入れを短時間ですることができる。
【００１０】
また、前記磁石担持体用ポケットの開口端辺には、前記磁石担持体用ポケットからの前記磁石担持体の逸脱を防止するためのストッパが形成されていることが好ましい。
【００１１】
これにより、磁石担持体用ポケットに収容された磁石担持体を磁石担持体用ポケットからさらに逸脱しにくくすることができる。
【発明の効果】
【００１２】
本発明にかかる磁気枕の構成を採用することにより、磁気枕を洗濯する際には、磁石担持体を磁気枕から取り外すことができるため、希土類磁石の品質を低下させることなく磁気枕を洗濯することができ、常に清潔な状態で当初性能が維持されている磁気枕を継続的に使用することができる。
【図面の簡単な説明】
【００１３】
【図１】磁石担持体用ポケットから磁石担持体を取り出した状態における磁気枕の前方からの斜視図である。
【図２】磁気枕の磁石担持体用ポケットに磁石担持体を収容している状態における前方からの斜視図である。
【図３】磁石担持体の平面図である。
【図４】図３内の４−４線における断面図である。
【図５】本実施形態における磁気枕の前方からの斜視図である。
【発明を実施するための形態】
【００１４】
以下、本発明における磁気枕の実施形態について図面に基づいて説明する。
図１および図２に示すように、本実施形態の磁気枕１０は、多孔質の合成樹脂により形成された本体２０と、本体２０を収容する本体収容体３０と、本体収容体３０に収容される磁石担持体４０とを有している。
【００１５】
本実施形態における本体２０は、多孔質の合成樹脂としての軟質ウレタンフォームにより形成されている。本実施形態においては、袋状に形成された本体収容体３０の内部空間に軟質ウレタンフォームを充填することにより本体２０が形成されているが、この形態に限定されるものではなく、ポリプロピレン等に代表される合成樹脂製のチューブ体やビーズ体の粒状物を本体収容体３０の内部空間に充てんすることにより本体２０を構成してもよい。
【００１６】
本体収容体３０は、ポリエステル等の合成樹脂製繊維の織物によって形成されていて、本体２０を収容する前は有底筒状体に形成されている。本体２０を本体収容体３０の開口部から本体収容体３０の内部空間に格納または充てんした後は、本体収容体３０の開口部を縫製等により閉塞すればよい。本体収容体３０の開口部は縫製処理の他、本体収容体３０の開口部に図示しないファスナーを取り付けることにより、本体収容体３０の内部空間に本体２０を出し入れ可能な構成にすることもできる。
【００１７】
また、本体収容体３０には使用者の首部が当接する部分（首部当接部分）に磁石担持体４０が収容される磁石担持体用ポケット３２が２つ配設されている。磁石担持体用ポケット３２は、本体収容体３０と同じ素材の正方形形状の布帛３２Ａを本体収容体３０の表面に重ねた後、布帛３２Ａの外周端辺のうち３端辺を本体収容体３０に縫い付けした縫付端辺３２Ｘに、残りの１端辺を開放可能にした開口端辺３２Ｙに形成している。この開口端辺３２Ｙと本体収容体３０とにより磁石担持体用ポケット３２の開口部３２Ｚが形成されることになる。図１等からも明らかなように、それぞれの磁石担持体用ポケット３２は、各々の開口端辺３２Ｙどうしを互いに向い合わせる（対向させる）と共に、それぞれの開口端辺３２Ｙを重複させた状態で配設されている。
【００１８】
本実施形態においては、磁石担持体用ポケット３２の開口部３２Ｚを形成している開口端辺３２Ｙは、後述する凹部３４側における開口端辺３２Ｙの端部所要範囲を本体収容体３０に縫い付けて形成したストッパ３３が形成されている。このようなストッパ３３付きの開口部３２Ｚの構成を採用することにより、磁石担持体用ポケット３２に収容した磁石担持体４０は、開口部３２Ｚにファスナー等の締結手段が配設されていなくても、不意に磁石担持体用ポケット３２から逸脱してしまうことがない。また、磁石担持体用ポケット３２を構成している布帛３２Ａは十分な柔軟性を有しているため、磁気枕１０の洗濯時等必要なときには磁石担持体４０を磁石担持体用ポケット３２から容易に取り出しすることができる点で好都合である。
【００１９】
本体収容体３０において頭部が当接する部分には凹部３４が形成されている。この凹部３４は、本体収容体３０を形成する布帛の表面部分を縫い込んだ縫込み部３６を使用者の首部から頭頂部にかけて所要間隔に配設することにより平面視形状が略台形形状に形成されている。図１等に示すように、縫込み部３６は平面視した際において縫込み部３６の中心部分から両端部に向けて下方に湾曲した線形形状に形成されている。このような形状の縫込み部３６を採用することで、使用者の頭が当接する部分は頭の中心線位置が最も低くなり良好な寝心地を得ることができる。また、縫込み部３６は、首部側から頭頂部側に近付くにつれて徐々に配設範囲を狭くするように形成されている。
【００２０】
図３は、図１および図２に示した磁石担持体４０の平面図である。図４は、図３中の４−４線における断面図である。磁石担持体４０は、扁平円柱形状に形成された希土類磁石４２を平面視形状が円形に形成されたゲル状の合成樹脂からなるシート体４４で担持させたものである。希土類磁石４２は、シート体４４の平面中心位置と外周縁に沿って所要間隔をあけた状態でシート体４４に埋設されている。磁石担持体４０は、一方の面４０Ａと他方の面４０Ｂとにおいてシート体４４による希土類磁石４２の被覆厚さが異なっている。
【００２１】
具体的には、図４に示すように、磁石担持体４０の一方の面４０Ａにおいては、シート体４４による希土類磁石４２の被覆厚さは２ｍｍ程度であるのに対し、他方の面４０Ｂにおいては、シート体４４による希土類磁石４２の被覆厚さは４ｍｍ程度である。このような磁石担持体４０は、強い磁力による磁気治療をしたい場合には、一方の面４０Ａを使用者側に向けて使用し、弱い磁力による磁気治療をしたい場合には、他方の面４０Ｂを使用者に側に向けて使用すればよく、使用者の好みや状況に応じて適宜磁気治療に用いる磁力の強弱調整を行うことができる点において好都合である。
【００２２】
以上に本発明にかかる磁気枕１０について実施形態に基づいて詳細に説明を行ったが、本発明の技術的範囲は、以上の実施形態に限定されるものではない。例えば、本実施形態においては、使用者の頭部が当接する部分に凹部３４が形成されている形態について説明しているが、この凹部３４は配設を省略してもよい。
【００２３】
また、本実施形態においては、２つの磁石担持体用ポケット３２の各々の開口端辺３２Ｙを互いに向い合わせた状態で配設した形態について説明しているが、磁石担持体用ポケット３２の各々の開口端辺３２Ｙを磁気枕１０の首部側の端辺に一致または平行になるように配設した形態としてもよい。要は、磁気枕１０の使用中に磁石担持体用ポケット３２から磁石担持体４０が不意に逸脱しなければよいのである。
【００２４】
また、本実施形態においては、磁石担持体用ポケット３２のストッパ３３を磁石担持体用ポケット３２の開口端辺３２Ｙの一部を本体収容体３０に縫い付けることにより形成しているが、この形態に限定されるものではない。ストッパ３３の変形例としては縫い付けの他に接着等の公知の方法により開口端辺３２Ｙの範囲を狭めるような処理がなされていればよいのである。
【００２５】
そして本実施形態においては、平面視円板形状に形成された磁石担持体４０を採用しているが磁石担持体４０の平面形状は矩形形状等様々な平面形状のものを採用することができる。磁石担持体用ポケット３２から磁石担持体４０の出し入れが可能であれば、磁石担持体４０の平面形状は特に限定されるものではない。
【００２６】
そして以上の変形例の他、本実施形態において説明した形態を適宜組み合わせた構成を採用することも可能である。
【符号の説明】
【００２７】
１０  磁気枕，２０  本体，３０  本体収容体，
３２  磁石担持体用ポケット，
３２Ａ  布帛，３２Ｘ  縫付端辺，３２Ｙ  開口端辺，３２Ｚ  開口部，
３３  ストッパ，３４  凹部，３６  縫込み部，
４０  磁石担持体，４０Ａ  一方の面，４０Ｂ  他方の面，
４２  希土類磁石，４４  シート体
【図１】
2017063810.tif 000003
【図２】
2017063810.tif 000004
【図３】
2017063810.tif 000005
【図４】
2017063810.tif 000006
【図５】
2017063810.tif 000007